(57)【要約】【課題】  メンテナンス等が必要とされるガイドパイプが最下端であっても着脱作業が容易に行える水中ポンプのポンプガイド機構を提供する。【解決手段】  ガイドパイプ２０が、上下に分割された上ガイドパイプ２１と下ガイドパイプ２２とを備えた分割型ガイドパイプとされ、下ガイドパイプ２２の上端部に上ガイドパイプ２１の下端部内に上下方向にスライド自在に嵌入される嵌入軸部材２３を備える。上ガイドパイプ２１と下ガイドパイプ２２との収縮状態で、上下の下向嵌合ボス部１０ｂと上向嵌合ボス部１１との相互間に挿脱自在とされると共に、上ガイドパイプ２１と下ガイドパイプ２２との伸張状態で、上ガイドパイプ２１の上端部に下向嵌合ボス部１０ｂが嵌入され、下ガイドパイプ２２の下端部に上向嵌合ボス部１１が嵌入され、嵌入軸部材２３に着脱自在に装着されるスペーサ体２４を備える。【選択図】    図１
2007138608.tif 000002
【特許請求の範囲】
【請求項１】
槽内底部に設置された連結管の一端開口部に接続されて、上下方向延設状に配置された排水管に装着されると共に、その支持アームの延設端部で上下方向にそれぞれ突出状に備えられた上向嵌合ボス部と下向嵌合ボス部を有する中間ガイドホルダと、中間ガイドホルダの前記上向嵌合ボス部と前記槽の上部に配置された上ガイドホルダに備えられた下方向突出状の下向嵌合ボス部とがそれぞれ上端部および下端部に嵌入されて支持されたガイドパイプと、中間ガイドホルダの前記下向嵌合ボス部と前記設置された連結管側に備えられた上方向突出状の上向嵌合ボス部とがそれぞれ上端部および下端部に嵌入されて支持されたガイドパイプとを備え、
前記槽内に据え付けられる水中ポンプを、前記各ガイドホルダおよび前記各ガイドパイプを介して上下方向に沿って案内し、前記連結管の他端開口部に対して自動的に接続する水中ポンプのポンプガイド機構において、
前記ガイドパイプが、上下に分割された上ガイドパイプと下ガイドパイプとを備えた分割型ガイドパイプとされ、上ガイドパイプと下ガイドパイプの互いに対向する対向部のいずれか一方に、他方に上下方向にスライド自在に嵌入される嵌入軸部材が備えられ、該嵌入軸部材が前記嵌入された上ガイドパイプと下ガイドパイプとの収縮状態で、上下の前記下向嵌合ボス部と前記上向嵌合ボス部との相互間に挿脱自在とされると共に、嵌入軸部材が前記嵌入された上ガイドパイプと下ガイドパイプとの伸張状態で、上ガイドパイプの上端部に前記下向嵌合ボス部が嵌入され、かつ下ガイドパイプの下端部に前記上向嵌合ボス部が嵌入され、この伸張状態で、上ガイドパイプと下ガイドパイプとの相互間に着脱自在に嵌合されて嵌入軸部材に装着されるスペーサ体が備えられていることを特徴とする水中ポンプのポンプガイド機構。
【請求項２】
請求項１に記載の水中ポンプのポンプガイド機構において、
前記排水管に、上下方向に離隔して複数の前記中間ガイドホルダが装着され、上側中間ガイドホルダの前記下向嵌合ボス部と下側中間ガイドホルダの前記上向嵌合ボス部が、前記分割型ガイドパイプの上端部および下端部に嵌入されて支持されていることを特徴とする水中ポンプのポンプガイド機構。
【請求項３】
請求項１または請求項２に記載の水中ポンプのポンプガイド機構において、
前記スペーサ体は、前記嵌入軸部材に両側から嵌合状に装着される対の分割スペーサ体からなると共に、前記上ガイドパイプもしくは前記下ガイドパイプの断面形状と同じ断面形状を有していることを特徴とする水中ポンプのポンプガイド機構。
【請求項４】
請求項１または請求項２に記載の水中ポンプのポンプガイド機構において、
前記スペーサ体は中心角が１８０度よりも大きな円弧状とされ、前記嵌入軸部材の外側面に弾性変形により嵌合されて装着されることを特徴とする水中ポンプのポンプガイド機構。
【発明の詳細な説明】
【技術分野】
【０００１】
本発明は、マンホール等の貯水槽等において、水中ポンプを上下方向に沿って案内し、自動的に据え付けることができるポンプガイド機構に関し、特に、ガイドパイプを継ぎ合わせて使用する必要がある深い槽に適した水中ポンプのポンプガイド機構に関するものである。
【背景技術】
【０００２】
この種の水中ポンプ設備におけるポンプガイド機構に用いられるガイドパイプは、所定長さに製造された定尺のパイプ材が一般に採用されている。そして、槽の深さが深い場合には、そのようなガイドパイプを適宜本数、継ぎ合わせて使用する方式が採用されていた（例えば、特許文献１および特許文献２参照。）。
【０００３】
そして、より深いマンホール等の貯水槽においては、図８ないし図１１に示されるように、貯水槽１内の底部に連結管２が設置され、連結管２の一端開口部である導出口部２ａには、上下方向延設状に配置された排水管３の下端部が液密状に接続された構造とされ、この排水管３に、ステンレス材等からなるガイドパイプ４を支持するための中間ガイドホルダ５が上下方向に離隔して複数装着される構造とされていた。なお、排水管３もフランジ接合等により所望長さを確保すべく、適宜継ぎ合わせる構造とされている。
【０００４】
各中間ガイドホルダ５は、Ｕボルト６を介して排水管３に着脱自在に取付け固定される支持基板７を備え、支持基板７における排水管３側の側面には固定状態安定用の当て板８が溶接等により固定され、反対側の側面にはガイドパイプ４を支持するための支持アーム９が溶接等により延設状に固定された構造とされている。
【０００５】
また、支持アーム９は支持基板７に固定のアーム基部９ａと、該アーム基部９ａの先端部に固定されると共に先端部で適宜間隔を有する二股部９ｂとからなり、二股部９ｂの先端部内面側に、それぞれ互いに所定間隔を有して上下方向の軸心を有するボス支柱１０が溶接等により固定されている。このボス支柱１０は、ガイドパイプ４の外径と略同径の外径を有しており、ボス支柱１０の上部および下部には、ガイドパイプ４の内径よりも僅かに細径とされた上向嵌合ボス部１０ａと下向嵌合ボス部１０ｂとがそれぞれ備えられた構造とされている。
【０００６】
そして、連結管２側に備えられた上方向突出状の各上向嵌合ボス部１１と最下部の中間ガイドホルダ５における各ボス支柱１０の各下向嵌合ボス部１０ｂとの相互間にわたって、ガイドパイプ４の上端部および下端部がそれぞれ相対的に嵌入されて支持され、その各ボス支柱１０の各上向嵌合ボス部１０ａとその上側に配置された中間ガイドホルダ５における各ボス支柱１０の各下向嵌合ボス部１０ｂとの相互間にわたって、ガイドパイプ４の上端部および下端部がそれぞれ相対的に嵌入されて支持されている。
【０００７】
さらに同様にして、順次上下の中間ガイドホルダ５間にわたってガイドパイプ４が支持され、最上部の中間ガイドホルダ５における各ボス支柱１０の各上向嵌合ボス部１０ａと貯水槽１の上部の開口部１２周縁部に装着された上ガイドホルダ１３の延設端部にそれぞれ備えられた下方向突出状の各下向嵌合ボス部１４との相互間にわたって、ガイドパイプ４の上端部および下端部がそれぞれ相対的に嵌入されて支持され、これら各ガイドパイプ４、各中間ガイドホルダ５等により水中ポンプ１５を上下方向に沿って案内するポンプガイド機構が構成されていた。
【０００８】
水中ポンプ１５の吐出口部１５ａ側には、ポンプガイド機構の各ガイドパイプ４等に沿って上下方向にスライド案内されるスライダ１６が備えられており、昇降用クサリ１７等で吊り下げられた水中ポンプ１５のスライダ１６を、ポンプガイド機構の上方より各ガイドパイプ４間に案内し、各ガイドパイプ４等に沿ってスライダ１６による案内下、漸次下降操作することにより、最終的に下端位置で水中ポンプ１５の吐出口部１５ａと連結管２の他端開口部である導入口部２ｂとが、自動的に液密状に接続される構造とされていた。
【０００９】
【特許文献１】実開昭５７−１９３９９９号公報
【特許文献２】特開平９−４０４４号公報
【発明の開示】
【発明が解決しようとする課題】
【００１０】
しかしながら、上記従来のポンプガイド機構によれば、下側のガイドパイプ４から順次、上方向に継ぎ合わせて立設していく方式であり、最下端に位置するガイドパイプ４の破損等によりメンテナンスが必要となった場合には、上の方から順次、上ガイドホルダ１３を取り外し、各Ｕボルト６を外して各中間ガイドホルダ５を取り外していく必要があるため、目的とするガイドパイプ４位置にたどり着くまで多くの作業時間を要すると共に、メンテナンスが不要な部分も一旦取り外し、その後に再度装着する必要があり、メンテナンス作業が面倒なものとなっていた。
【００１１】
そこで、本発明は上記問題点に鑑み、メンテナンス等が必要とされるガイドパイプが最下端であっても着脱作業が容易に行える水中ポンプのポンプガイド機構を提供することを目的とする。
【課題を解決するための手段】
【００１２】
上記課題を解決するための技術的手段は、槽内底部に設置された連結管の一端開口部に接続されて、上下方向延設状に配置された排水管に装着されると共に、その支持アームの延設端部で上下方向にそれぞれ突出状に備えられた上向嵌合ボス部と下向嵌合ボス部を有する中間ガイドホルダと、中間ガイドホルダの前記上向嵌合ボス部と前記槽の上部に配置された上ガイドホルダに備えられた下方向突出状の下向嵌合ボス部とがそれぞれ上端部および下端部に嵌入されて支持されたガイドパイプと、中間ガイドホルダの前記下向嵌合ボス部と前記設置された連結管側に備えられた上方向突出状の上向嵌合ボス部とがそれぞれ上端部および下端部に嵌入されて支持されたガイドパイプとを備え、前記槽内に据え付けられる水中ポンプを、前記各ガイドホルダおよび前記各ガイドパイプを介して上下方向に沿って案内し、前記連結管の他端開口部に対して自動的に接続する水中ポンプのポンプガイド機構において、前記ガイドパイプが、上下に分割された上ガイドパイプと下ガイドパイプとを備えた分割型ガイドパイプとされ、上ガイドパイプと下ガイドパイプの互いに対向する対向部のいずれか一方に、他方に上下方向にスライド自在に嵌入される嵌入軸部材が備えられ、該嵌入軸部材が前記嵌入された上ガイドパイプと下ガイドパイプとの収縮状態で、上下の前記下向嵌合ボス部と前記上向嵌合ボス部との相互間に挿脱自在とされると共に、嵌入軸部材が前記嵌入された上ガイドパイプと下ガイドパイプとの伸張状態で、上ガイドパイプの上端部に前記下向嵌合ボス部が嵌入され、かつ下ガイドパイプの下端部に前記上向嵌合ボス部が嵌入され、この伸張状態で、上ガイドパイプと下ガイドパイプとの相互間に着脱自在に嵌合されて嵌入軸部材に装着されるスペーサ体が備えられている点にある。
【００１３】
また、前記排水管に、上下方向に離隔して複数の前記中間ガイドホルダが装着され、上側中間ガイドホルダの前記下向嵌合ボス部と下側中間ガイドホルダの前記上向嵌合ボス部が、前記分割型ガイドパイプの上端部および下端部に嵌入されて支持されている構造としてもよい。
【００１４】
さらに、前記スペーサ体は、前記嵌入軸部材に両側から嵌合状に装着される対の分割スペーサ体からなると共に、前記上ガイドパイプもしくは前記下ガイドパイプの断面形状と同じ断面形状を有している構造としてもよい。
【００１５】
また、前記スペーサ体は中心角が１８０度よりも大きな円弧状とされ、前記嵌入軸部材の外側面に弾性変形により嵌合されて装着される構造としてもよい。
【発明の効果】
【００１６】
以上のように、本発明の水中ポンプのポンプガイド機構によれば、ガイドパイプが、上下に分割された上ガイドパイプと下ガイドパイプとを備えた分割型ガイドパイプとされ、上ガイドパイプと下ガイドパイプの互いに対向する対向部のいずれか一方に、他方に上下方向にスライド自在に嵌入される嵌入軸部材が備えられ、該嵌入軸部材が嵌入された上ガイドパイプと下ガイドパイプとの収縮状態で、上下の下向嵌合ボス部と上向嵌合ボス部との相互間に挿脱自在とされると共に、嵌入軸部材が嵌入された上ガイドパイプと下ガイドパイプとの伸張状態で、上ガイドパイプの上端部に下向嵌合ボス部が嵌入され、かつ下ガイドパイプの下端部に上向嵌合ボス部が嵌入され、この伸張状態で、上ガイドパイプと下ガイドパイプとの相互間に着脱自在に嵌合されて嵌入軸部材に装着されるスペーサ体が備えられているため、嵌入軸部材からスペーサ体を取り外すことにより、嵌入軸部材による案内下、上ガイドパイプと下ガイドパイプが互いに伸縮調整自在となり、収縮状態とすることにより上下の下向嵌合ボス部や上向嵌合ボス部から離脱させることができ、また、伸張状態として上ガイドパイプと下ガイドパイプとの相互間にスペーサ体を装着することにより、上下の下向嵌合ボス部と上向嵌合ボス部とにわたって装着でき、ポンプガイド機構におけるガイドパイプのメンテナンス時等において、目的とするガイドパイプのみが着脱可能となり、最下端のガイドパイプであっても着脱作業を容易に行うことができる。従って、メンテナンスが必要とされる目的のガイドパイプが最下端であってもメンテナンス作業を容易に行うことができる利点がある。
【００１７】
また、排水管に、上下方向に離隔して複数の中間ガイドホルダが装着され、上側中間ガイドホルダの下向嵌合ボス部と下側中間ガイドホルダの上向嵌合ボス部が、分割型ガイドパイプの上端部および下端部に嵌入されて支持されている構造とすれば、中間ガイドホルダ間にわたって支持されているガイドパイプであっても上記同様、着脱作業を容易に行うことができる。
【００１８】
さらに、スペーサ体は、嵌入軸部材に両側から嵌合状に装着される対の分割スペーサ体からなると共に、上ガイドパイプもしくは下ガイドパイプの断面形状と同じ断面形状を有している構造とすれば、上ガイドパイプと下ガイドパイプおよびスペーサ体による外周面が、上下方向に滑らかな連続状態となるため、水中ポンプの上下方向の案内が円滑に行える利点がある。
【００１９】
また、スペーサ体は中心角が１８０度よりも大きな円弧状とされ、嵌入軸部材の外側面に弾性変形により嵌合されて装着される構造とすれば、嵌入軸部材に対するスペーサ体の着脱作業が容易に行える利点がある。
【発明を実施するための最良の形態】
【００２０】
以下、本発明の第１の実施形態を図面に基づいて説明する。なお、前記従来構造と同様の構成部分は同一符号を付し、その説明を省略する。
【００２１】
即ち、図１ないし図６に示されるように、本実施形態においては、ガイドパイプ２０が、上下に分割状とされて、それぞれ適宜長さを有する円筒状のステンレス材等からなる上ガイドパイプ２１と下ガイドパイプ２２とを備えた分割型ガイドパイプとされ、上ガイドパイプ２１と下ガイドパイプ２２の互いに対向する対向部のいずれか一方、本実施形態では、下ガイドパイプ２２の上端部に、上ガイドパイプ２１の下端部内に上下方向にスライド自在に嵌入される円柱状で所定長さを有するステンレス材等からなる嵌入軸部材２３が溶接等により備えられた構造とされている。
【００２２】
そして、図４に示されるように、嵌入軸部材２３が上ガイドパイプ２１の下端部に嵌入されて縮められた上ガイドパイプ２１と下ガイドパイプ２２との収縮状態で、上部に位置する例えば中間ガイドホルダ５の下向嵌合ボス部１０ｂと下部に位置する連結管２側の上向嵌合ボス部１１との相互間間隔よりも短尺とされ、下向嵌合ボス部１０ｂと上向嵌合ボス部１１との相互間に側方より挿脱自在な構造とされている。
【００２３】
なお、上下に離隔して配置された各中間ガイドホルダ５の下向嵌合ボス部１０ｂと上向嵌合ボス部１０ａとの相互間にわたって支持されるガイドパイプ２０や、上ガイドホルダ１３の下向嵌合ボス部１４と中間ガイドホルダ５の上向嵌合ボス部１０ａとの相互間にわたって支持されるガイドパイプ２０も上記同様、挿脱自在な構造とされている。
【００２４】
また、図６に示されるように、嵌入軸部材２３が上ガイドパイプ２１の下端部に嵌入されて伸ばされた上ガイドパイプ２１と下ガイドパイプ２２との伸張状態で、上ガイドパイプ２１の上端部に下向嵌合ボス部１０ｂ，１４が嵌入され、かつ下ガイドパイプ２２の下端部に上向嵌合ボス部１０ａ，１１が嵌入され、この伸張状態で、上ガイドパイプ２１と下ガイドパイプ２２との相互間に着脱自在に嵌合されて嵌入軸部材２３に装着されるスペーサ体２４が備えられた構造とされている。
【００２５】
この際、スペーサ体２４はステンレス材等からなり、図３にも示されるように、嵌入軸部材２３に両側から嵌合状に装着される半円弧状の対の分割スペーサ体２４ａからなると共に、両分割スペーサ体２４ａが互いに接合された装着状態で、上ガイドパイプ２１もしくは下ガイドパイプ２２の断面形状と同じ円環状の断面形状を有した構造とされている。そして、各分割スペーサ体２４ａは固定ネジ２５等により、嵌入軸部材２３の側面に着脱自在に装着される構造とされている。
【００２６】
本実施形態は以上のように構成されており、ポンプガイド機構の組付けに際しては従来同様、下側のガイドパイプ２０から順次、上方向に継ぎ合わせて立設していけばよい。即ち連結管２側に備えられた上方向突出状の各上向嵌合ボス部１１と最下部の中間ガイドホルダ５における各下向嵌合ボス部１０ｂとの相互間にわたって、ガイドパイプ２０の上端部および下端部がそれぞれ相対的に嵌入されて支持され、その中間ガイドホルダ５における各上向嵌合ボス部１０ａとその上側に配置された中間ガイドホルダ５における各下向嵌合ボス部１０ｂとの相互間にわたって、ガイドパイプ２０の上端部および下端部がそれぞれ相対的に嵌入されて支持されている。
【００２７】
さらに同様にして、順次上下の中間ガイドホルダ５間にわたってガイドパイプ２０が支持され、最上部の中間ガイドホルダ５における各上向嵌合ボス部１０ａと貯水槽１の上部の開口部１２周縁部に装着された上ガイドホルダ１３の延設端部にそれぞれ備えられた下方向突出状の各下向嵌合ボス部１４との相互間にわたって、ガイドパイプ２０の上端部および下端部がそれぞれ相対的に嵌入されて支持され、これら各ガイドパイプ２０、各中間ガイドホルダ５のボス支柱１０等により水中ポンプ１５を上下方向に沿って案内するポンプガイド機構が構成される。
【００２８】
そして、水中ポンプ１５の吐出口部側には、前述同様、ポンプガイド機構の各ガイドパイプ２０等に沿って上下方向にスライド案内されるスライダ１６が備えられており、昇降用クサリ１７等で吊り下げられた水中ポンプ１５のスライダ１６を、ポンプガイド機構の上方より各ガイドパイプ２０間に案内し、各ガイドパイプ２０等に沿ってスライダ１６による案内下、漸次下降操作することにより、最終的に下端位置で水中ポンプ１５の吐出口部と連結管２の他端開口部である導入口部とが、自動的に液密状に接続される構造とされている。
【００２９】
本実施形態においては、嵌入軸部材２３から各分割スペーサ体２４ａをそれぞれ取り外すことにより、嵌入軸部材２３による案内下、上ガイドパイプ２１と下ガイドパイプ２２が互いに伸縮調整自在となり、収縮状態とすることにより上下の下向嵌合ボス部１０ｂ，１４や上向嵌合ボス部１０ａ，１１から離脱させることができ、また、伸張状態として上ガイドパイプ２１と下ガイドパイプ２２との相互間に各分割スペーサ体２４ａを装着することにより、上下の下向嵌合ボス部１０ｂ，１４と上向嵌合ボス部１０ａ，１１とにわたってガイドパイプ２０を装着できるため、ポンプガイド機構における最下端に位置するガイドパイプ２０の破損等によりメンテナンスが必要となった場合でも、各分割スペーサ体２４ａを取り外すことにより目的とするガイドパイプ２０のみが側方向に着脱可能となるため、その他の中間ガイドホルダ５やガイドパイプ２０を何ら取り外す必要がなく、最下端のガイドパイプ２０であっても効率よく、目的とするガイドパイプ２０の着脱作業を容易に行うことができる。従って、メンテナンスが必要とされる目的のガイドパイプ２０が最下端であってもメンテナンス作業を容易に行うことができる利点がある。
【００３０】
また、上下に隣接する中間ガイドホルダ５間に位置する中間のガイドパイプ２０の破損等によりメンテナンスが必要となった場合にも上記同様に、目的とするガイドパイプ２０の着脱作業を容易に行うことができ、至便である。
【００３１】
さらに、スペーサ体２４の各分割スペーサ体２４ａによって、上ガイドパイプ２１や下ガイドパイプ２２の断面形状と同じ断面形状を構成する構造としているため、各分割スペーサ体２４ａの装着状態においては、上ガイドパイプ２１と下ガイドパイプ２２およびスペーサ体２４による外周面が、上下方向に滑らかな連続状態となるため、水中ポンプ１５の上下方向の案内が円滑に行える利点がある。
【００３２】
図７は第２の実施形態を示しており、前記第１の実施形態と同様構成部分は同一符号を付し、その説明を省略する。
【００３３】
即ち、本実施形態におけるスペーサ体２４は、中心角が１８０度よりも大きな円弧状とされたステンレス材等の撓み変形可能な弾性を有する金属材からなり、嵌入軸部材２３の外側面にスペーサ体２４の弾性変形を介して嵌合状に装着される構造とされている。この際、スペーサ体２４の外径は、上ガイドパイプ２１や下ガイドパイプ２２の外径と略同径に構成されている。なお、その他の構成は第１の実施形態と同様に構成されている。
【００３４】
従って、本実施形態においても第１の実施形態と同様の利点を有すると共に、嵌入軸部材２３に対するスペーサ体２４の装着作業や離脱作業は、スペーサ体２４をハンマー等でたたき込むこと等により嵌入軸部材２３側に装着したり、離脱させたりすることができ、嵌入軸部材２３に対するスペーサ体２４の着脱作業が容易に行える利点がある。
【００３５】
なお、上記実施形態においては、下ガイドパイプ２２側に嵌入軸部材２３が備えられた構造を示しているが、上ガイドパイプ２１の下端部に嵌入軸部材２３を設け、下ガイドパイプ２２の上端部にスライド自在に嵌入される構造であってもよい。
【００３６】
また、嵌入軸部材２３として、中実の円柱状とされた構造を示しているが、中空の円筒状構造であってもよい。
【００３７】
さらに、平行配置された各ガイドパイプ２０等の内側に沿って、水中ポンプ１５に備えられたスライダ１６がスライド案内される構造を示しているが、各ガイドパイプ２０等の外側に沿って、スライダ１６がスライド案内される構造であってもよく、何ら実施形態の構造に限定されない。
【００３８】
また、連結管２の側部に上向嵌合ボス部１１が備えられた構造を示しているが、連結管２の支持台２ｃ側に上向嵌合ボス部１１が備えられる構造であってもよい。
【図面の簡単な説明】
【００３９】
【図１】本発明の第１の実施形態にかかる側面図である。
【図２】図１のII−II線断面矢視図である。
【図３】ガイドパイプの要部分解斜視図である。
【図４】ガイドパイプの着脱作業の説明図である。
【図５】ガイドパイプの着脱作業の説明図である。
【図６】ガイドパイプの着脱作業の説明図である。
【図７】第２の実施形態にかかる要部断面図である。
【図８】従来例としての一部説明図である。
【図９】従来例としての側面図である。
【図１０】図９のＸ−Ｘ線矢視図である。
【図１１】中間ガイドホルダの平面図である。
【符号の説明】
【００４０】
１  貯水槽
２  連結管
３  排水管
５  中間ガイドホルダ
９  支持アーム
１０  ボス支柱
１０ａ  上向嵌合ボス部
１０ｂ  下向嵌合ボス部
１１  上向嵌合ボス部
１３  上ガイドホルダ
１４  下向嵌合ボス部
１５  水中ポンプ
１６  スライダ
２０  ガイドパイプ
２１  上ガイドパイプ
２２  下ガイドパイプ
２３  嵌入軸部材
２４  スペーサ体
２４ａ  分割スペーサ体
【図１】
2007138608.tif 000003
【図２】
2007138608.tif 000004
【図３】
2007138608.tif 000005
【図４】
2007138608.tif 000006
【図５】
2007138608.tif 000007
【図６】
2007138608.tif 000008
【図７】
2007138608.tif 000009
【図８】
2007138608.tif 000010
【図９】
2007138608.tif 000011
【図１０】
2007138608.tif 000012
【図１１】
2007138608.tif 000013